(57)【特許請求の範囲】
【請求項１】
電動機構で駆動させてペーパーを送り出す自動ペーパー送り出し機構を備えたロールペーパー供給装置であって、ペーパーの排出口をロールペーパーの略上方正面部に配置したことをひとつの特徴とし、ペーパー端の巻きほどかれたロールペーパーを投入してフロントカバーを閉じたときに、本体構造部の内壁天井平面部（折れ曲がった平面部や斜面となった平面部を含む）に配置された送り出し部材と、略前方または略前方下方から移動してくるフロントカバーの上方平面部（折れ曲がった平面部や斜面となった平面部を含む）に配置された送り出し部材との間で、ペーパーが自然と挟み込まれて送り出しが可能となることを大きな特徴とする、電動ロールペーパー供給装置。
【請求項２】
本体構造部の内壁天井平面部に配置された送り出し部材が、回転可能に配置されたロール状部材であって、フロントカバーの上方平面部に配置された送り出し部材も、回転可能に配置されたロール状部材であることを特徴とする、請求項１記載の電動ロールペーパー供給装置。
【請求項３】
本体構造部の内壁天井平面部に配置された送り出し部材が、回転可能に配置されたロール状部材であって、フロントカバーの上方平面部に配置された送り出し部材は、本体構造部の内壁天井平面部に配置された送り出し用ロール状部材の外径部に接する形状の面部材であることを特徴とする、請求項１記載の電動ロールペーパー供給装置。
【請求項４】
本体構造部の内壁天井平面部に配置された送り出し部材が、送り出し方向に傾斜する植毛部を有する部材であって、フロントカバーの上方平面部に配置された送り出し部材も、送り出し方向に傾斜する植毛部を有する部材であることを特徴とする、請求項１記載の電動ロールペーパー供給装置。
【請求項５】
ペーパー排出口のペーパー受け部分（すなわち、フロントカバー上方平面部の正面端部）を前方へとせりださせ、切断後に電動機構により送り出されるペーパーの端部が、ペーパー排出口の下方部分先端部より垂れ下がって、ペーパーの端部がつかみやすい状態（すなわちフロントカバーの、正面方向に露出している壁面部から離れて垂れ下がっている状態）で停止することを特徴とする、請求項１記載の電動ロールペーパー供給装置。
【請求項６】
本体構造部に配置されたフロントカバーが、本体構造部の正面方向を開口部と成すように、円弧状に移動できる状態で、本体構造部に回転軸を介して支持されたことを特徴とする、請求項１記載の電動ロールペーパー供給装置。
【請求項７】
本体構造部に配置されたフロントカバーが、本体構造部の正面方向を開口部と成すように、設定された自由線に沿うように移動できる状態で、本体構造部にガイドレールを介して支持されたことを特徴とする、請求項１記載の電動ロールペーパー供給装置。
【請求項８】
本体構造部の背面部（壁面への取り付け側）と、本体構造部の上面部と、収容されたロールペーパー外周部の略上方に位置する略斜面状天井部とで構成される略三角形状の空間部に、電動機構によりペーパーを送り出す自動ペーパー送り出し機構を備えたことを特徴とする、請求項１記載の電動ロールペーパー供給装置。
【請求項９】
本体構造部の背面部（壁面への取り付け側）と、本体構造部の上面部と、収容されたロールペーパー外周部の略上方に位置する略斜面状天井部とで構成される略三角形状の空間部に、電動機構によりペーパーを切断する自動ペーパー切断機構を備えたことを特徴とする、請求項１記載の電動ロールペーパー供給装置。
【発明の詳細な説明】
【技術分野】
【０００１】
本発明は、電動のペーパー送り出し機構や電動のペーパー切断機構を有するロールペーパー供給装置に関するものである。
【背景技術】
【０００２】
電動のロールペーパー供給装置に関する過去の出願等を見ることで、本発明の主体が明確になるので、はじめにそれらの説明から入ることにする。
【０００３】
日本における、電動ロールペーパー供給装置に関する特許出願としては、本件出願人が調査した内で最も古い出願は、特許文献１特開昭５４−１２９７１である。スイッチを押すと一定量のペーパーが自動的に送り出されるというものであり、ふたつのローラーに挟まれたペーパーが本体の下方前部へと排出される。電動のペーパー切断機構を有するものではない。図示はしないが、ロールペーパーを上方に配置し、電動機構部を略下方に配置する、という一般的な配置方法をとっている。次に古い出願は特許文献２特開昭６３−１７１５３２である。とても大げさな装置であって、商品化が難しいものであるが、電動のペーパー送り出し機構やハサミ状の電動ペーパー切断機構を備えているという点では全自動電動ロールペーパー供給装置の基本型であると言える。図示はしないが、ロールペーパーを上方に配置し、電動機構部を略下方に配置する、という一般的な配置方法をとっている。なお、この特開昭６３−１７１５３２の出願人は、ペーパーの受け皿を加えた改良発明を特許文献３特開平２−２２０６２０にても行っているが、基本的な構成はほとんど変わっていない。
商品化できそうな出願としては、特許文献４特開平３−２６４０１６がある。図１は、その特許出願の公報に掲載されている図のコピーである。符号などは変更してある。図１に示されるように、ペーパー送り出し用の駆動ローラー１と受動ローラー２とによって挟まれたペーパーは、モーター３の駆動力により連続的に送り出される。送り出されたペーパーは、ペーパー送り出しローラー群の下方に配置された電動切断機構により、一定の長さに達するたびに切断される。先の発明やこの発明のように、電動ロールペーパー供給装置においては、電動のペーパー送り出し機構や電動のペーパー切断機構を、ロールペーパー支持部の下方に配置する配置方法が一般的である。重い機構部を下方に配置し、軽いペーパーを上方に配置する配置方法は、重量的なイメージバランスを考えた上でも安定感がある。そしてペーパーの交換も、そのような配置の方が容易であると思われているようである。また、ペーパーを下方へ引き出して切断する、という作業イメージを考えた上でも、従来の、手でフタを押さえてペーパーを引きちぎる方式のホルダーが、ペーパーを下方へと引き出した後に切断する、という作業イメージに近いものがあり、違和感が少ないと思われているようである。
【０００４】
前述した特許文献４特開平３−２６４０１６の出願人は、他にも２件の電動ロールペーパー供給装置に関する特許出願をしている。ひとつは特許文献５特開平４−２９７２１３であって、図２は、その特許出願の公報に掲載されている図のコピーである。符号などは除去してある。もうひとつは特許文献６特開平５−１１１４４２であって、図３は、その特許出願の公報に掲載されている図のコピーである。符号などは除去してある。いずれの発明もロールペーパーを上方に配置し、電動機構部を下方に配置する、という配置方法をとっている。図示はしないが、特許文献７特開平６−２６９３７４も、ロールペーパーを上方に配置し、電動機構部を下方に配置する、という配置方法をとっている。
【０００５】
図４は、特許文献８特開平９−７５２５８の公報に掲載されている図のコピーである。符号などは変更してある。図４に示されるように、ペーパー送り出し用の駆動ローラー４と受動ローラー５とによって挟まれたペーパーは、モーターの駆動力により連続的に送り出される。送り出されたペーパーは、ペーパー送り出しローラー群の下方に配置された切断機構により切断される。この発明もロールペーパーを上方に配置し、電動機構部を下方に配置する、という配置方法をとっている。フタを上方に開いてペーパーを交換する。図示はしないが、特許文献９特開平９−２０６２３７も、ロールペーパーを上方に配置し、電動機構部を下方に配置する、という配置方法をとっている。この特開平９−２０６２３７では、切断を手動で行っている。
【０００６】
図示はしないが、特許文献１０特開平９−２７６１７８や特許文献１１特開平１０−２４８７４５や特許文献１２特開平１０−１４８１１や特許文献１３特開２００１−２９２５８の公報に掲載されている発明においても、ロールペーパーを上方に配置し、電動機構部を下方に配置する、という配置方法をとっている。このように、ロールペーパーを上方に配置し、電動機構部を下方に配置する、という配置方法をとる発明が、電動ロールペーパー供給装置においては、とても多い。このようなタイプの電動ロールペーパー供給装置は、どうしても縦方向に長いデザインになりやすく、また大型になりやすいという欠点を持つ。尺間法に基づいた古いタイプの日本家屋では、トイレ空間の横幅が、実質的には８０ｃｍ以下のところもあり、そのようなトイレに、壁から大きく飛び出てしまう装置を取り付けた場合には、人が通る幅がわずかしか残らなくなってしまう。そして、縦方向に長いデザインのペーパーホルダーで、ペーパーの排出方向が略前方下方である構造のものは、通常の手の位置でペーパーをつかもうとすれば、装置をかなり上の位置に取り付ける必要がある。その位置は洋式トイレに腰かけたとすると、ほぼ目線に一致するくらい高い位置であり、とても大きな圧迫感を覚えることになる。また、立ち上がろうとするときに、思わず肩をぶつけてしまうことにもなり、高齢の方や視力を失われた方などにとっては危険なものとなってしまう。特許文献１２特開平１０−１４８１１や特許文献１３特開２００１−２９２５８のようなタイプは大型で縦長デザインの典型である。もっとも小型で縦方向の長さが短いデザインと思われる特許文献８特開平９−７５２５８のようなタイプであっても、ロールペーパー直径の２倍以上の縦方向寸法となっており、また、設置したときの壁からの距離、つまり出っ張り具合もロールペーパー直径の１．５倍以上となっている。ロールペーパーを上方に配置し、自動送り出しや自動切断の電動機構部を下方に配置するタイプの電動ロールペーパー供給装置で、たとえばロールペーパー直径の２倍以下の縦方向寸法にデザインされた発明は見あたらない。
【０００７】
図５は、特許文献１４特開平１０−５１４９の公報に掲載されている図のコピーである。符号などは変更してある。これまで例示してきた発明は、ペーパーを連続的に送り出す装置がロールペーパーの略下方に配置されたものであったが、図５の例は、ペーパーを連続的に送り出す装置がロールペーパーの前方に配置されたものである。図５に示されるように、ペーパー送り出し用の駆動ローラー６と受動ローラー７とによって挟まれたペーパーは、モーターの駆動力により連続的に送り出される。送り出されたペーパーは、ペーパー送り出し装置の前方に配置された手動の切断機構により切断される。フタを手で押し下げるとカッターがペーパーを切断する構造となっている。手動の切断機構を用いて小型化しているので、全自動式とは異なり、ただ１回の操作で必要な長さのペーパーを手にすることはできない。駆動ローラー６は、ロールペーパーの側方に配置された駆動モーターと減速歯車部とによって駆動される。この発明は、前述してきたような多くの発明とは異なり、ペーパーを前方に向けて排出するという大きな特徴がある。このデザイン手法により、装置の縦方向寸法は、側面図の方向からみた場合には最大限に小さくなっている。しかし、その特徴を台無しにするような、大きな欠点が新たに発生している。それは、ロールペーパーの送り出し機構と切断機構とを、ロールペーパーの略前方に配置したため、ペーパーホルダーの前端部が、取り付け壁面からとても大きく飛び出てしまうことである。ＪＩＳ規格のロールペーパー直径はおよそ１１ｃｍであるので、図示された実施例では、およそ１８ｃｍも壁から飛び出してしまっている。これは前述した理由によるように、日本の家屋で使うにはとても不適切な発明であり、デザインである。そして、側面図の方向でのスリム化を達成するために、駆動モーターや減速歯車部などをロールペーパーの側方に配置しており、平面図の方向から見れば、装置は前方にも側方にも大型化してしまっている。特に、前方への飛び出し部が大きくなったことは、狭い日本のトイレ空間においてはとても大きな欠点となる。便座に向かって歩くときや、便座から立ち上がって戻るときなどに、膝やももなどをぶつける危険性がとても高くなる。また、これだけ前方への飛び出し部が大きいと、便座から立ち上がるときに、思わずホルダーの上面先端部に手をかけ、そして、よっこらしょ、と体重をかけてしまう。高齢の方や脚力の弱った方などでは、ほとんどの方がそのようにしてしまうことが予想される。最悪の場合には、ホルダーが壁からとれてしまうことも考えられる。前方への飛び出し部が大きくなれば、その分だけテコの原理が働き、ホルダーを壁から引き離す力も大きくなってしまうのである。頼りにして体重をあずけたものが、突然に崩れ落ちるように取れてしまった場合には、高齢の方や脚力の弱った方などは、ほぼ間違いなく転倒してしまう。これは危険である。狭いトイレの内幅を考えれば、装置の前方部分が取り付け壁面から大きく飛び出てしまうことは、致命的な欠点となるのである。フタが上方に開くタイプなので、ペーパーの交換は容易である。しかし、フタが移動する範囲の空間には、手すりや棚板を取り付けることは許されない。高齢者用のトイレには、多くの場合、手すりや棚板を配置することが要求され、手すりの位置などは、人間工学的に決められることが多い。水平方向に長い一般的な手すりが左右の壁に配置された場合には、手すりの上部空間直近には何も配置してはいけない。そこは高齢者の手や腕が移動するのに必要な空間だからである。そのような場合、図５の例による製品は、手すりの１８ｃｍ以上下方に設置する必要がある。そうしなければフタが開かないので、ペーパーの交換ができないからである。その位置は、ヒザよりも低い位置となってしまう。それではペーパーを引き出す手が、自分の足や便座などにあたり、とても不便である。図５の例による発明は、高齢者用のトイレには不向きな発明である、といえる。
【０００８】
図６は、特許文献１５特開平１１−１７８７４１の公報に掲載されている図のコピーである。符号などは除去してある。この発明は、ペーパーを略前方下方に向けて排出するという特徴がある。フタが上方に開くタイプなので、ペーパーの交換は上方より行うことができるのであるが、図５の例と同様の欠点があり、手すりなどが必要な高齢者用のトイレには不向きな発明である。
【０００９】
図７は、特許文献１６特開平１１−２４４１８９の公報に掲載されている図のコピーである。符号などは除去してある。この発明も、ペーパーを略前方下方に向けて排出するという特徴がある。しかし、ペーパーホルダーの前端部が、図５の例よりも、更に大きく取り付け壁面から飛び出てしまう発明であって、欠点も更に大きくなっている。ペーパーの先端部付近を送り出し機構の間に通してやるのも面倒そうであり、実際にどのようにしてペーパーの交換を行ったらよいのかが、とてもわかりにくい発明である。
【００１０】
図８は、特許文献１７特開２０００−１８４９８６の公報に掲載されている図のコピーである。符号などは除去してある。この発明も、ペーパーを前方に向けて排出するという特徴がある。しかし、ペーパーホルダーの前端部が、図５の例よりも更に大きく取り付け壁面から飛び出てしまう発明であって、欠点も更に大きくなっている。フタが上方に開くタイプなので、ペーパーの交換は容易であるが、図５の例と同様、手すりなどが必要な高齢者用のトイレには不向きな発明である。
【００１１】
図９は、特許文献１８特表平１１−５０１２２８の公報に掲載されている図のコピーである。符号などは除去してある。この発明は、ロールペーパーの略前方下部からペーパーを排出するものである。そして、ロールペーパーの上方と前方とをＬ字状にカバーしているフタ部材を、前方に回転下降させることにより、ロールペーパーの上方部を開放し、装置の上方からロールペーパーの交換を行うことができるという特徴がある。しかし、ペーパーホルダーの装置前端部が、図５の例とほぼ同じように、取り付け壁面から大きく飛び出てしまう発明であって、同様の欠点を有している。フタが下方に開く特別なタイプではあるが、送り出し機構がロールペーパーの前方に固定的に配置されていて、ロールペーパーの上方部を開放して装置の上方からロールペーパーの交換を行う必要があるので、図５の例と同様、手すりなどが必要な高齢者用のトイレには不向きな発明である。ペーパーの交換は容易そうに見えるが、ふたつに離れた送り出し機構の間に、ペーパーの先端部分を通してやらなければならないので、実際の作業は複雑で面倒である。
【００１２】
図１０は、特許文献１９特開２００３−１２５９７２の公報に掲載されている図のコピーである。符号などは除去してある。この発明も、ペーパーを略前方に向けて排出するという特徴がある。しかし、駆動装置やコントロール装置をペーパーホルダーの側方に配置しており、装置全体としてはとても大型である、という大きな欠点を持つ。また特別な自動切断装置を、露出させるように略前方に配置しているが、図を見ても、説明を読んでも、自動切断装置がどのように駆動されるのかが理解しにくい。ロールペーパーをどのように交換するのか、その方法も理解しにくい。発明としての説明が全く不十分と感じられる。次の大きな欠点として、装置の使用者は、ペーパーの交換時にペーパー先端部を、その自動切断装置に設けられた細い隙間に通してあげなければならない、という点が挙げられる。これはとても面倒な作業である。目の不自由な方がトイレに入り、この装置が壁に取り付けられていたとしたら、その方は果たしてこの装置を使うことができるのだろうか。ペーパーの交換はできるのだろうか。とても不安になる発明である。
【００１３】
図１１は、特許文献２０特開２００４−２６１５０５の公報に掲載されている図のコピーである。符号などは除去してある。この発明は、ペーパーの送り出しのみを電動で行い、フタの先端部にある切断刃を利用して、ペーパーを手で引きちぎるものである。自動切断装置を内蔵していない電動式ペーパーホルダーであるので、装置全体としては小型に描かれているが、自動切断装置を配置したらどのような全体形状と大きさになるのか、については記されていない。この考案もフタが上方に開くタイプなので、図５の例とほぼ同様の欠点を有している。電動切断機構は有していないのであるが、この発明は日本で商品化された第１号の電動送り出し機構付きロールペーパーホルダーではないかと思われる。
【００１４】
図１２は、特許文献２１特開２００４−２６９１４４の公報に掲載されている図のコピーである。符号などは除去してある。この発明は、ペーパーの送り出しも切断も電動で行う全自動タイプである。特殊な切断刃カセットを有することを特徴としている。ペーパーを上方に配置し、電動送り出し機構と電動切断機構とを下方に配置した、典型的な全自動タイプである。縦方向に長く、全体として大型である、という欠点があるが、特許公報に載ったデザインとほぼ同様の体裁で、この発明は商品化されている。この発明は日本で商品化された第１号の、全自動タイプの電動ロールペーパーホルダーではないかと思われる。しかし、大型すぎる、それゆえか高価、ペーパーの交換が面倒、などの欠点があり、２００５年１１月現在、改良型の第２号機が発表されている。発表はされているが、発売はまだのようである。
【００１５】
ここまでは、特許に関する従来例を掲げてきた。次に、実用新案に関する従来例について記述する。日本における、電動ロールペーパー供給装置に関する実用新案登録出願としては、本件出願人が調査した内で最も古い出願は、特許文献２２実開昭４７−３６１９７である。スイッチを押すと一定量のペーパーが自動的に送り出されるというものであり、ふたつのローラーに挟まれたペーパーがペーパーの下方前部へと排出される。電動のペーパー切断機構を有する。ロールペーパーを上方に配置し、電動機構部を略下方に配置する、という一般的な配置方法をとっているので図示はしない。
【００１６】
図１３は、特許文献２３実開平６−７７６８５の公報に掲載されている図のコピーである。符号などは除去してある。この例は、図１０で示した特許文献１９特開２００３−１２５９７２の公報に、従来の考案として例示されていたものである。考案の名称は、電動式ペーパーホルダー、となっているが、ペーパーの送り出しのみを電動で行い、切断は図１３のごとく、手で引きちぎるものである。自動切断装置を内蔵していない電動式ペーパーホルダーであるので、装置全体としては小型に描かれているが、自動切断装置を配置したらどのような全体形状と大きさになるのか、については記されていない。この考案もフタが上方に開くタイプなので、図５の例とほぼ同様の欠点を有している。すなわち、フタを上方に向けてほぼ全開にしないとロールペーパーの交換ができない。それゆえ、高齢者向けの手すりや棚板を、電動式ペーパーホルダーの上方直近には配置できないのである。
【００１７】
ここで従来の発明や考案において、装置の開閉やロールペーパーの交換がどのようになされてきたのかをまとめてみる。
【００１８】
図１、図２、図３の実施例などは、カバーパネルが開き戸のように垂直な回転軸を持って回転しながら開く、というものと推測されるのであるが、装置自体がとても大型であって、一般家庭のトイレにはとうてい設置できないシロモノである。勿論、発明そのものが公共の施設などを対象にしているものらしいので、小型化する、という発想は全くないようである。使用状態の図もあり、いかにも家庭用に小型化できているように描かれてはいるが、故意に装置を小さく描いているだけであって、はっきりといえば、ウソのイメージを描いているものである。図４、図５、図６の実施例では、フタを上方に向けて開き、ロールペーパーを交換している。図７の実施例は、フタを上方に向けて開くように推測される。カバーパネルが開き戸のように垂直な回転軸を持って回転しながら開く、という方法も考えられるが、その方法では送り出し機構の間にペーパーをセットすることは難しい。図８の実施例は、フタを上方に向けて開き、ロールペーパーを交換している。図９の実施例は、フタが略Ｌ字形であって、ある支点を中心に前方へと回転するという特殊な構造である。しかしロールペーパーの交換は上方から行うしか方法がない。したがって、ホルダーの上方直近に、高齢者向けの手すりや棚板を配置してしまうと、ロールペーパーの交換はできなくなってしまうのである。図１０の実施例は、ロールペーパーの交換方法が全く不明なものである。上方のフタを開き、側方の壁部材を開くかはずすかして、側方よりロールペーパーを電動の回転軸に差し込み、駆動構造の不明な電動切断装置にペーパー端を通すのであろう、と推測される。とにかくロールペーパーの交換が相当に面倒であることだけは確かである。図１１の実施例は、フタを上方に向けて開き、ロールペーパーを交換している。図１２の実施例は商品化されている。その商品は、前面のパネル全体を上方に向けて大きく開き、ロールペーパーを専用の軸芯棒に通し、軸芯棒を本体の軸受けにセットすることで、ロールペーパーの交換を行っている。その後、電動切断装置にペーパー端を通す、という作業が必要である。図１３の実施例は、フタを上方に向けて開き、ロールペーパーを交換している。
【００１９】
以上のように、電動ロールペーパー供給装置に関する従来の発明や考案においては、次のような欠点がある。カバーパネルが開き戸のように垂直な回転軸を持って回転しながら開くタイプでは、装置が大型になる。カバーパネルが水平な回転軸を持って回転しながら上方に開くタイプでは、高齢者向けの手すりや棚板を電動式ペーパーホルダーの上方直近には配置できない。カバーパネルが水平な回転軸を持って回転しながら下方に開くが、ロールペーパーの交換を上方から行うしか方法がないタイプでは、高齢者向けの手すりや棚板を電動式ペーパーホルダーの上方直近には配置できない。ロールペーパーを専用の軸芯棒に通さなければロールペーパーの交換ができないタイプでは、巻き芯ありペーパーと巻き芯なしペーパーとではセットの仕方を変えなければならず、高齢の方などでは即座の対応が難しい。電動切断装置にペーパー端を通す、という作業が必要であるタイプでは、狭いすき間にペーパー端をくぐらせる必要があり、柔らかで形の崩れやすいトイレットペーパーの先端を、狭いすき間にくぐらせる作業は手先の器用なひとでも難しく、手先の震えるような高齢の方などにとっては非常に困難な作業となる。
【００２０】
以上が、出願人が調べた、日本の電動ロールペーパー供給装置のおよその状況である。このように、電動ロールペーパー供給装置においては、全体的に小型で、配置位置の制限がなく、巻き芯ありペーパーと巻き芯なしペーパーとで対応を変える必要がなく、柔らかで形の崩れやすいトイレットペーパーを電動送り出し機構や電動切断機構の機構中に簡単に通すことができる、という条件をすべて満足させるような発明や考案はなかった。
【００２１】
次に、電動ではない、一般的なペーパーホルダーにおける、装置の開閉方法とロールペーパーの交換方法とを調べてみる。調べるにあたって特に注目すべき点は、高齢者向けの手すりや棚板をペーパーホルダーの上方直近に配置できるかどうかである。
【００２２】
調査にあたって、以下のようなありふれたロールペーパーの交換方法をとるものは除外した。
ロールペーパーを専用の軸芯棒に通して交換するようなとても古いタイプ。ロールペーパーをホルダーの下方から押し込むと、左右の支持棒が一時的に上方側方に逃げ、次にペーパーの巻き芯に入り込む、という具合に交換する現在の一般的なタイプ。ロールペーパーをホルダーの前方から押し込むと、支持棒が一時的に後方側方に逃げ、次にペーパーの巻き芯に入り込む、という具合に交換する現在の一般的なタイプ。ボックス形状や受け皿形状の単純なホルダー本体に、上方からロールペーパーを投入セットするタイプ、など。
【００２３】
図１４は、特許文献２４特開平８−９８７８６の公報に掲載されている図のコピーである。符号などは除去してある。この発明は、バケット状のフロントカバーを手前に開き、バケット部にペーパーを入れる構造である。配置位置の上下左右にかなり自由な空間があり、手すりや棚板を上方直近にも配置することができる。ペーパー先端部を特定のすき間に通す必要があり、構造を理解できないひとにはペーパーのセットが少し難しいという欠点がある。また、片手では切断刃が少し使いにくい、という欠点もある。
【００２４】
図１５は、特許文献２５実案登録第３０３０１２２の公報に掲載されている図のコピーである。符号などは除去してある。この考案は、バケット状のフロントカバーを手前に回転させて開き、バケット部の内側にペーパーを入れる構造である。配置位置の上下左右にかなり自由な空間があり、手すりや棚板を上方直近にも配置することができる。ペーパー先端部を特定のすき間に通す必要がなく、構造をあまりよく理解できないひとでも、ペーパーのセットが難しくて困るということはない。切断刃が片手で扱えるような工夫がしてあるが、そのワンハンドカット用の切断刃の構造は、この考案の出願以前からよく知られた構造であり特に新しいものではない。バケット状のフロントカバー上部を通るペーパーは、通常はフリー状態にあり、何かに挟まれているものではない。ペーパーを切断しようとして、ペーパーを引き上げたときにのみ、切断刃の反対側端部がペーパーを押さえ付ける構造となっている。
【００２５】
図１６は、特許文献２６特開平１１−１５５７６３の公報に掲載されている図のコピーである。符号などは除去してある。この発明は、フロントカバーを手前に開き、壁に取り付けられた本体のバケット部にペーパーを入れる構造である。配置位置の上下左右にかなり自由な空間があり、手すりや棚板を上方直近にも配置することができる。ペーパー先端部を特定のすき間に通す必要があり、構造を理解できないひとにはペーパーのセットが少し難しいという欠点がある。
【００２６】
図１７は、特許文献２７特開２０００−２５４０３７の公報に掲載されている図のコピーである。符号などは除去してある。この発明は、フロントカバーを有するボックス部を手前に引き出してから少し下方へ傾け、ボックス部に上方からペーパーを入れる構造である。配置位置の上下左右にかなり自由な空間があり、手すりや棚板を上方直近にも配置することができる。ワンハンドカット用の特殊な切断刃構造は有していない。
【００２７】
図１８は、特許文献２８特開２０００−３１６７４５の公報に掲載されている図のコピーである。符号などは除去してある。この発明は、フロントカバーを含むＬ字状ボックス部を、支持軸を中心として手前に回転させて開き、Ｌ字状ボックス部に前方からペーパーを入れる構造である。配置位置の上下左右にかなり自由な空間があり、手すりや棚板を上方直近にも配置することができる。ワンハンドカット用の特殊な切断刃構造は有していない。一般的な切断刃が天井部先端に配置してある。
【００２８】
図１９は、特許文献２９特開２００１−４６２７３の公報に掲載されている図のコピーである。符号などは除去してある。この発明は、バケット状のフロントカバーを手前下方に回転させて開き、バケット部にペーパーを入れる構造である。デザイン的な差異はあるものの、請求項１から請求項５までの内、請求項４の上下方向スリットを設けること以外、基本的に特許文献２５実案登録第３０３０１２２の内容とほとんど同じであり、新規性はない。むしろ、バケット状のフロントカバーを手前に回転させて開いたときには下方でペーパーを支える面が不足してしまい、ペーパーが落ちないように押さえながら、フロントカバーを閉じていかなければならない、という欠点が発生している。図のように、フロントカバーを開いた状態で、ロールペーパーを置いて手を離すことができないのは明らかである。
【００２９】
以上が、一般的によく見られるペーパーホルダーとは少し異なった装置の開閉方法とロールペーパーの交換方法とを有する、電動ではないペーパーホルダーに関する従来例である。高齢者向けの手すりや棚板をペーパーホルダーの上方直近に配置できるかどうかを調査のポイントとした。本発明は、このような特殊な従来例も参考にしながら、独自の機構レイアウトや工夫を重ねて成されたものであり、取り扱い方が簡単で、小型で、配置位置の制限がなく、巻き芯ありペーパーと巻き芯なしペーパーとで対応を変える必要がなく、柔らかで形の崩れやすいトイレットペーパーを電動送り出し機構や電動切断機構の機構中に簡単に通すことができる、という条件をすべて満足させるような電動ロールペーパー供給装置を提供するものである。
【００３０】
最後に、非特許文献１として、製品として発売されている電動ペーパーホルダーの説明書の一部を示す。説明書に付してある記号や文字などは除去した。この製品は、２００５年９月に発売されたものである。商品名は  ペーパークルクル  である。上方にロールペーパーを保持するボックス部を配置して、下方に電動送り出しローラー部と電動切断部とを配置した従来の一般的な電動ペーパーホルダータイプである。下方の電動機構部を手前に開き、開いたときにできるすき間にペーパー先端部を通してからフタを閉じる必要がある。図は、下方の電動機構部のフロントカバーを、手前に９０度、回転するように開いた様子を示している。全体的にとても大型で、しかもロールペーパーを保持するボックス部のフタが上方に開くため、製品の上方直近には手すりや棚板は配置できない。またペーパーが下方に排出されるため、製品の下方直近にも手すりや棚板は配置できず、配置位置には大きな制限がある。
【００３１】
【特許文献１】特開昭５４−１２９７１
【特許文献２】特開昭６３−１７１５３２
【特許文献３】特開平２−２２０６２０
【特許文献４】特開平３−２６４０１６
【特許文献５】特開平４−２９７２１３
【特許文献６】特開平５−１１１４４２
【特許文献７】特開平６−２６９３７４
【特許文献８】特開平９−７５２５８
【特許文献９】特開平９−２０６２３７
【特許文献１０】特開平９−２７６１７８
【特許文献１１】特開平１０−２４８７４５
【特許文献１２】特開平１０−１４８１１
【特許文献１３】特開２００１−２９２５８
【特許文献１４】特開平１０−５１４９
【特許文献１５】特開平１１−１７８７４１
【特許文献１６】特開平１１−２４４１８９
【特許文献１７】特開２０００−１８４９８６
【特許文献１８】特表平１１−５０１２２８
【特許文献１９】特開２００３−１２５９７２
【特許文献２０】特開２００４−２６１５０５
【特許文献２１】特開２００４−２６９１４４
【特許文献２２】実開昭４７−３６１９７
【特許文献２３】実開平６−７７６８５
【特許文献２４】特開平８−９８７８６
【特許文献２５】実案登録第３０３０１２２
【特許文献２６】特開平１１−１５５７６３
【特許文献２７】特開２０００−２５４０３７
【特許文献２８】特開２０００−３１６７４５
【特許文献２９】特開２００１−４６２７３
【非特許文献１】図２０。２００５年９月発売の電動ペーパーホルダーの、説明書の一部。
【発明の開示】
【発明が解決しようとする課題】
【００３２】
解決しようとする問題点は、電動機構によりペーパーを送り出す自動ペーパー送り出し機構を備え、電動機構によりペーパーを切断する自動切断機構を備えた従来の発明や考案による電動ロールペーパー供給装置が、とても大型の装置であって狭い家庭用のトイレ空間に設置するには不都合であったり、ロールペーパーの交換時に専用の軸芯を用いるなどして面倒であったり、ロールペーパーの先端部を送り出し機構や切断機構の機構中に通すのが面倒であったり、高齢者向けの手すりや棚板をペーパーホルダーの上方直近や下方直近に配置できない構造であったりした点である。
【課題を解決するための手段】
【００３３】
本発明は、上記のような従来の問題点を解決するために、ペーパーの排出口を電動ロールペーパーの略上方正面部に配置した。そして、本体構造部の内壁天井平面部に配置された送り出し部材と、略前方または略前方下方から移動してくるフロントカバーの上方平面部に配置された送り出し部材との間で、ペーパーを自動的に挟み込む構造とし、ロールペーパーの先端部を送り出し機構や切断機構の機構中に通すという作業を、特に意識することなく、自然なペーパーセットの流れの中で行えるようにした。
【発明の効果】
【００３４】
本発明による電動ロールペーパー供給装置は、フロントカバーを手前に引いて開くだけでロールペーパーを正面方向より出し入れする空間を確保できる。また、フロントカバーの開き具合に制限を設けてやれば、ロールペーパーをフロントカバーの内側に乗せるようにセットすることもできる。あるいは構造を少し変化させてやれば、ロールペーパーを本体の内側に乗せるようにセットすることもできる。そして、ペーパーの端部を少しだけ引き出して垂らすようにしてロールペーパーを置き、フロントカバーを閉じるだけで、電動ペーパー送り出し機構を構成するふたつの送り出し部材の間にペーパーを挟み込むことができる。したがって図１０にて示した特許文献１９特開２００３−１２５９７２の従来発明のように、自動切断機構部のすき間にペーパーを通す、などといった難しい作業はしなくてもよくなる。また、ペーパーの排出口がロールペーパーの上方部に配置されているので、男性が立ち姿勢のまま小便を済ませたときにペーパーを使用したいと考えた際にも、ほとんど身をかがめることなく、楽にペーパー端をつかむことができる。従来の手で引きちぎる方式の手動ペーパーホルダーに、ロールペーパーをセットしたときのロールペーパーの中心軸位置は、通常では床面から７０ｃｍ程度である。壁面にすでに設置されている従来の手動ペーパーホルダーの横に、並べるようにして電動のロールペーパー供給装置を設置する場合には、ロールペーパーの中心軸位置をほぼ同じにすることが配置デザイン的に美しく望ましい。実際に壁に配置するテストをおこなってみたが、ロールペーパーという大きな円筒形のものをふたつ、上下方向にずらして近接させて配置した場合には、何かとても不安定な感覚を覚える。やはり、ふたつのロールペーパーの中心軸位置をほぼ同じにするように配置したほうが、視覚的に気持ちが安定するのである。そのように、ふたつのロールペーパーの中心軸位置をほぼ同じにするように配置した場合に、ロールペーパーの下方に電動機構部を配置した従来タイプの電動ロールペーパー供給装置では、どんなに小型に作っても、垂れ下がったペーパー端の位置は、床面から５０ｃｍから５５ｃｍ程度となる。一方、本発明による電動のロールペーパー供給装置では、ペーパー端の位置は、床面から７３ｃｍから７５ｃｍ程度となる。下方での排出方式をとる従来の電動ロールペーパー供給装置と、上方での排出方式をとる本発明による電動ロールペーパー供給装置とでは、垂れ下がったペーパー端の位置が、２０ｃｍから２５ｃｍ程度も違うことになる。ペーパー端の位置が床面から７３ｃｍから７５ｃｍ程度であれば、男性が立ち姿勢のまま、ほとんど身をかがめることなく、楽にペーパー端をつかむことができる。しかも、つかんだ後に引く方向も、本発明による電動ロールペーパー供給装置ではペーパーの排出口が正面部に位置しているので、斜め上方に向かって引くことができる。下方への排出方式をとる従来の電動ロールペーパー供給装置では、ペーパーを斜め上方に向かって引く、という作業を想定したものはない。もちろん本発明による電動ロールペーパー供給装置では、便座に腰掛けた使用者が斜め下方などに向かって引くことも当然できる。立った姿勢においても、座った姿勢においても、いずれの姿勢においてもその姿勢を崩すことなく自然にペーパー端をつかみ、姿勢に応じた方向に無理なくペーパーを引き出すことができることは、本発明の大きな特徴のひとつである。本発明によれば、フロントカバーを手前に引くように開くだけで、ロールペーパーを正面方向より出し入れする空間を確保できるので、高齢者向けの手すりや棚板を、電動式ペーパーホルダーの上方直近や下方直近にも配置できるようになる。また、本体構造部の内壁天井平面部に配置された送り出し部材と、略前方または略前方下方から移動してくるフロントカバーの上方平面部に配置された送り出し部材との間でペーパーを自動的に挟み込む構造としたので、ロールペーパーの先端部を送り出し機構や切断機構の機構中に通すという作業を、特に意識することなく誰でもが自然に簡単に行えるようになる。電動ロールペーパー供給装置においては、全体的に小型で、配置位置の制限がなく、巻き芯ありペーパーと巻き芯なしペーパーとで対応を変える必要がなく、柔らかで形の崩れやすいトイレットペーパーを電動送り出し機構や電動切断機構の機構中に簡単に通すことができる、という条件を、すべて満足させるような発明や考案はなかったが、本発明により、それらすべての条件を同時に満足させることができるのである。
【発明を実施するための最良の形態】
【００３５】
全体的に小型で、配置位置の制限がなく、巻き芯ありペーパーと巻き芯なしペーパーとで対応を変える必要がなく、柔らかで形の崩れやすいトイレットペーパーを電動送り出し機構や電動切断機構の機構中に簡単に通すことができる、という条件をすべて満足させる電動ロールペーパー供給装置を、単純な構成で実現したものが、図２１から図２８にて示す実施例１である。
【実施例１】
【００３６】
図２１は、本発明を実施した実施例１の外観側面図である。壁に取り付けられたホルダー本体８の上方に棚板部材９が配置され、ホルダー本体８の内側にフロントカバー１０が支持されている。フロントカバー上方先端部１１が見える。
【００３７】
図２２は、本発明を実施した実施例１の外観正面図である。棚板を有するトイレットペーパーホルダーは横２連式が多いので、横２連式を描いた。ホルダー本体８の上方に棚板部材９が配置され、ホルダー本体８の内側にフロントカバー１０が支持されている。フロントカバー上方先端部１１が見える。
【００３８】
図２３は、本発明を実施した実施例１の構造を示す、断面模式図である。フロントカバー１０はホルダー本体８に軸１２を介して回転できるように配置されている。フロントカバー１０とホルダー本体８は仮止めのノッチや磁石の利用などにより、簡単に開けたり閉じたりすることができるようにされるのが一般的である。ホルダー本体８と棚板部材９との間に、乾電池１３をセットすることもできるが、家庭用の１００ボルト電源を用いることができれば、乾電池は不要となる。フロントカバー上方平面部１４にはロール状部材１５が回転可能に配置されている。本体の内壁天井平面部１６にはロール状部材１７が回転可能に配置されている。ロール状部材１５はバネ１８により、ロール状部材１７の方向に押されていて、様々な厚さのペーパーを挟んで送り出すのに適する状態になっている。指１９がフロントカバー上方先端部１１をつかみ、矢印２０の方向に、手前に引いて開こうとしている。せり出し部分であるフロントカバー上方先端部１１を、指でつまんでバケットを開くことができるので、フロントカバーのバケット部には、開く目的の特別なツマミを設ける必要はない。
【００３９】
図２４は、本発明を実施した実施例１の構造を示す、断面模式図である。ロールペーパーをセットする様子を示す。フロントカバー１０は軸１２を中心に矢印２１の方向に回転し、本体に設けられた回転止め部材２２によって、図のような位置で止まる。この状態でペーパー送り出し用のロール状部材１５とロール状部材１７は完全に引き離され、引き離されたふたつのペーパー送り出し用部材の間に、ロールペーパー２３を矢印２４の方向に投入セットすることができる。ロールペーパー２３を巻きほどしたペーパー先端部分２５は図のように、フロントカバー上方先端部１１から少しだけ長くはみ出るようにする。
【００４０】
図２５は、本発明を実施した実施例１の構造を示す、断面模式図である。ロールペーパー２３をセットした後にフロントカバー１０を矢印２６の方向に閉じた様子を示す。ペーパー先端部分２５は図のように、フロントカバー上方先端部１１から少しだけ垂れ下がっている。ペーパー送り出し用のロール状部材１５とロール状部材１７はペーパーを挟んでいる。ロールペーパー２３は、主としてフロントカバー１０の内側バケット部分によって支えられるので、巻き芯があってもなくても構わない。
【００４１】
図２６は、本発明を実施した実施例１の構造を示す、断面模式図である。ロールペーパーを引き出す様子を示す。指１９がペーパー先端部分２５をつかみ、矢印２７の方向に引っ張る。巻きほどかれたペーパーは矢印２８の方向に動き、ロールペーパー２３は矢印２９の方向に回転するように動く。ロールペーパー２３の下方外周部はフロントカバー１０の内側バケット部分でスリップする。フロントカバー１０の内側バケット部分に複数の回転ローラーを設ければ、ロールペーパー２３はスリップすることなく、もっとスムーズに回転できるようになる。ペーパーが動くと、ペーパー送り出し用のロール状部材１５とロール状部材１７は、それぞれに付された矢印の方向に回転する。ロール状部材１７の軸にはワンウェイクラッチを配置しておくのがよい。あるいは、中間プーリー小３０と中間プーリー大３１との間にワンウェイクラッチを配置しておくのがよい。そうすることにより、ペーパーの引き出しによってモーター３２が逆転されることがなくなり、プーリー間をつなぐベルト類の消耗を防ぐこともできる。ペーパーの引き出しによって回転する部材、たとえばロール状部材１５、ロール状部材１７、中間プーリー小３０、中間プーリー大３１などの軸に回転センサーを配置すれば、ペーパーの引き出し具合を監視することができる。それにより、ペーパーの引き出し行為が停止した直後に電動の切断装置が作動するように設定することができる。ペーパーの引き出し行為を完了した後に、使用者が切断用に配置された手押しスイッチや赤外線感知スイッチなどを操作して、ペーパーを切断することができるのはいうまでもない。フロントカバー上方先端部１１に、ペーパーを切断するための切断刃を一体的に成型するのも良い。機械部分が故障して自動の送り出しや切断ができなくなったときには、左手でペーパーを押さえて、右手でペーパーを引き下げるようにして切ることができる。
【００４２】
図２７は、本発明を実施した実施例１の構造を示す、断面模式図の部分拡大図である。ロールペーパーを電動の切断装置が切断する様子を示す。切断刃３３はＬ字状部材３４の先端に取り付けられている。Ｌ字状部材３４は軸３５を中心に回転できるように配置されている。プッシュバー３６には鉄材３７が取り付けられている。ペーパーの動きの停止を自動感知すると自動的に入るスイッチか、手押しスイッチなどにより回路に電流が流れると、電磁石３８が機能して鉄材３７を矢印３９の方向に引きつける。するとプッシュバー３６の先端は矢印４０の方向に動いてＬ字状部材３４の後端を押し、切断刃３３は矢印４１の方向に勢いよく動いてペーパーを切断する。切断が完了した後は、電磁石３８への電力の供給を停止する回路とする。バネ４２の復元力によってプッシュバー３６は初期位置へと復帰し、バネ４３の復元力によって切断刃３３の付いたＬ字状部材３４も初期位置へと復帰する。バネ４４はモーター３２を支え、振動音の発生を押さえている。切断の次はペーパーの送り出しが始まる。使用者が本体に配置された手押しスイッチや赤外線感知スイッチなどを操作して、ペーパーの送り出しをすることができる。またペーパーの切断行為が停止した直後に電動の送り出し装置が作動するように、プログラムで設定しておいても良い。
【００４３】
図２８は、本発明を実施した実施例１の構造を示す、断面模式図の部分拡大図である。電動の送り出し装置がロールペーパーを送り出す様子を示す。送り出し用のスイッチが入ると、モーター３２の軸に取り付けられた駆動プーリー４５が矢印の方向へ回転し、駆動ベルト４６が矢印の方向へ回転して、駆動力が中間プーリー大３１に伝わる。次に中間プーリー小３０の回転が伝道ベルト４７を介してロール状部材１７を矢印の方向へ回転させる。ペーパー４８はロール状部材１７とロール状部材１５とによって挟まれているので、矢印４９の方向へ引き上げられ、矢印５０の方向へと送り出される。図２５のような垂れ下がり位置で送り出しが停止されるように、プログラムで設定しておくのが良い。そうすれば図２６のように、すぐにペーパー端をつまんで引き出すことができる。
【実施例２】
【００４４】
図２９は、本発明を実施した実施例２の構造を示す、断面模式図である。ロールペーパーを電動の送り出し装置が送り出す様子を示す。実施例１とは異なり、フロントカバー５１側に、ロール状部材がない。代わりにロール状部材５２の外径部に接する形状の面部材５３が配置されている。面部材５１はロール状部材５２の外径にほぼ等しい凹形状を有していることが望ましい。面部材５１はバネ５４により押され、ロール状部材５２との間にペーパーをしっかりと挟んでいる。ペーパーや各部材は、それぞれに付された矢印の方向に動く。図２９においては、棚板５５を、中空部がない木製のものとした。また、乾電池５６をフロントカバー５１の閉じられた空間部に配置した。フロントカバー５１に設けた電気接点が、フロントカバー５１を完全に閉じたときだけ本体側の電気接点に接触する構造にしておけば、フロントカバー５１を開いているときには通電しないので切断機構が動くことはなく、切断刃が誤動作で飛び出す事故を防ぐことができる。
【実施例３】
【００４５】
図３０は、本発明を実施した実施例３の構造を示す、断面模式図である。ロールペーパーを電動の送り出し装置が送り出す様子を示す。実施例１や実施例２とは異なり、ロール状部材が存在しない。代わりに送り出し方向に傾斜する植毛部を有する部材を用いている。中空部がない木製の棚板を描いている点や、フロントカバー５７側に乾電池を配置した点は実施例２と同様である。実施例２の面部材５３と同様の配置方法で、ペーパーの送り出し方向に傾斜する植毛部を有する部材５８をフロントカバー５７の上方平面部に配置している。そして、ペーパーの送り出し方向に傾斜する植毛部を有する部材５９を本体構造部の内壁天井平面部に配置している。植毛部を有する部材５９の後端部には、長穴６０が設けられ、本体側に配置された支持部材６１、支持部材６２によって支持されている。図３０は、植毛部を有する部材５９が矢印６３の方向に、前進している状態を示している。
【００４６】
図３１は、図３０の部分拡大図である。ロールペーパーを電動の送り出し装置が送り出す様子を詳しく示す。ペーパー６４は植毛部を有する部材５８と植毛部を有する部材５９とによって適当な力で挟まれている。植毛部はそれぞれが送り出しの方向に傾斜しているので、ペーパー６４は傾斜に逆らって後退することはできない。植毛部を有する部材５９が矢印６５の方向に前進していて、ペーパー６４を矢印６６の方向に引き上げ、矢印６７の方向に送り出している。大プーリー６８に設けられた支点６９に連結バー７０が連結され、植毛部を有する部材５９を往復運動させている。往復運動の内、前進時にはペーパー６４が前方へと送り出されるが、後退時には、ペーパー６４は部材５８の植毛部に引っ掛かり動かない。
【００４７】
図３２は、本発明を実施した実施例３の構造を示す、断面模式図である。植毛部を有する部材５９が後退し、ペーパー６４が部材５８の植毛部に引っ掛かり動かない様子を示す。各部材は各部材に付された矢印のように動くが、ペーパー６４は部材５８の植毛部に引っ掛かり動かない。モーターは連続的に回転しているが、ペーパー６４は間欠的な動きで前方へと送り出されて行くことが理解できる。  回転する部材は、ホコリや繊維などを巻き込みやすいが、往復運動をおこなう機構部にはそのような巻き込み現象は発生しにくい、という利点がある。
【実施例４】
【００４８】
図３３は、本発明を実施した実施例４の構造を示す、断面模式図である。実施例１とほぼ同じ構造であって、フロントカバーの支持位置のみが異なったものである。軸７１を中心にして、フロントカバー７２が矢印７３の方向に回転して開いている。ロールペーパー７４が矢印７５の方向に投入セットされる。フロントカバー７２が閉じられた状態は、単に回転の軸位置が異なっているだけで、図２５とほぼ同じである。
【実施例５】
【００４９】
図３４は、本発明を実施した実施例５の構造を示す、断面模式図である。実施例４までとは異なり、本体底部７６が前方へと伸びていて、フロントカバー７７には円弧状の前方壁がない。フロントカバー７７の回転の中心となる軸７８の位置も、本体底部をなす円弧の中心とは異なっている。フロントカバー上方先端部７９をつまみ、矢印８０の方向に回転させ、開こうとするところである。フロントカバーの形状、本体の形状、それらの取り付け位置などが異なるだけで、基本的な構造は図２３とほぼ同じである。
【００５０】
図３５は、本発明を実施した実施例５の構造を示す、断面模式図である。ロールペーパーをセットする様子を示す。軸７８を中心にして、フロントカバー７７が矢印８１の方向に回転して開いている。ロールペーパー８２が矢印８３の方向に投入セットされる。フロントカバー７７は本体底部の前端部にあたり、これ以上は開かない。
【００５１】
図３６は、本発明を実施した実施例５の構造を示す、断面模式図である。ロールペーパー８２のセットが完了し、フロントカバー７７が閉じられた様子を示す。ロールペーパー８２が本体底部７６に乗っていることが分かる。図２５と比べれば分かりやすい。図２５の実施例１では、ロールペーパーはフロントカバーの内側に乗っていた。図３６の実施例５では、ロールペーパー８２が露出して見える。触ることもできる。これはロールペーパー８２の減り方がひと目で分かるという利点がある。
【００５２】
図３７は、本発明を実施した実施例６の構造を示す、断面模式図である。基本的な構造は図２３実施例１とほぼ同じである。実施例１では、フロントカバーをひとつの軸を中心に回転させていたが、実施例６では、ふたつのガイドレールに沿ってフロントカバーを動かし、前方へと開いている点が異なる。フロントカバー８４は矢印８５の方向に引き出されようとしている。
【００５３】
図３８は、本発明を実施した実施例６の構造を示す、断面模式図である。フロントカバー８４を矢印８６の方向にほぼ水平方向に引き出した状態を示している。本体８７に設けられた上レール８８と下レール８９に沿って、フロントカバー８４に設けられたピン９０とピン９１が、矢印９２と矢印９３の方向に移動する。ピン９１が下レール８９の前方部に行き着くと、やがてピン９０はピン９１を中心に回転することになる。上レール８８と下レール８９の中心部直線部分は、曲線を含むひと組の平行な自由線であってもよい。
【００５４】
図３９は、本発明を実施した実施例６の構造を示す、断面模式図である。ピン９０を有するフロントカバー８４が、ピン９１を中心に矢印９４の方向に回転している様子を示す。この後、ロールペーパーをセットする。
【００５５】
図４０は、本発明を実施した実施例６の構造を示す、断面模式図である。ロールペーパー９５を矢印９６の方向に投入セットする様子を示す。この後、フロントカバー８４を閉じる。
【００５６】
図４１は、本発明を実施した実施例６の構造を示す、断面模式図である。フロントカバー８４を矢印９７の方向に押して、完全に閉じた様子を示す。フロントカバー８４が閉じられた状態では、構造的に図２５実施例１とほぼ同じである。ペーパーセット後の機能については、図２５実施例１の詳細な説明に準ずる。
【産業上の利用可能性】
【００５７】
例示した実施例では、すべてに棚板を設けているが、棚板のないデザインでも構わない。棚板の代わりにわずかに傾斜したような、ゆるやかな前傾カーブを描く天井部材などを配置すれば、とても美しい電動のホルダーができる。支持の軸は必ずしもフロントカバーの中心に位置させる必要がなく、ガイドレールを用いて開く方法もとれるので、デザイン的な自由度は高い。電動の独立タイプから２連タイプ、あるいは片側が電動のホルダーで他の片側が従来どおりの手切りタイプのホルダーなど、使用者の都合に合わせた、さまざまなタイプの電動ロールペーパー供給装置に本発明が適用できる。
【図面の簡単な説明】
【００５８】
【図１】従来の発明を示した公報の一部をコピーし、数字などを修正した図である。
【図２】従来の発明を示した公報の一部をコピーし、数字などを修正した図である。
【図３】従来の発明を示した公報の一部をコピーし、数字などを修正した図である。
【図４】従来の発明を示した公報の一部をコピーし、数字などを修正した図である。
【図５】従来の発明を示した公報の一部をコピーし、数字などを修正した図である。
【図６】従来の発明を示した公報の一部をコピーし、数字などを修正した図である。
【図７】従来の発明を示した公報の一部をコピーし、数字などを修正した図である。
【図８】従来の発明を示した公報の一部をコピーし、数字などを修正した図である。
【図９】従来の発明を示した公報の一部をコピーし、数字などを修正した図である。
【図１０】従来の発明を示した公報の一部をコピーし、数字などを修正した図である。
【図１１】従来の発明を示した公報の一部をコピーし、数字などを修正した図である。
【図１２】従来の発明を示した公報の一部をコピーし、数字などを修正した図である。
【図１３】従来の考案を示した公報の一部をコピーし、数字などを修正した図である。
【図１４】従来の発明を示した公報の一部をコピーし、数字などを修正した図である。
【図１５】従来の考案を示した公報の一部をコピーし、数字などを修正した図である。
【図１６】従来の発明を示した公報の一部をコピーし、数字などを修正した図である。
【図１７】従来の発明を示した公報の一部をコピーし、数字などを修正した図である。
【図１８】従来の発明を示した公報の一部をコピーし、数字などを修正した図である。
【図１９】従来の発明を示した公報の一部をコピーし、数字などを修正した図である。
【図２０】従来製品の説明書の一部をコピーし、数字などを修正した図である。
【図２１】本発明を実施した実施例１の外観側面図である。
【図２２】本発明を実施した実施例１の外観正面図である。
【図２３】本発明を実施した実施例１の構造を示す、断面模式図である。
【図２４】本発明を実施した実施例１の構造を示す、断面模式図である。
【図２５】本発明を実施した実施例１の構造を示す、断面模式図である。
【図２６】本発明を実施した実施例１の構造を示す、断面模式図である。
【図２７】本発明を実施した実施例１の構造を示す、断面模式図の部分拡大図である。
【図２８】本発明を実施した実施例１の構造を示す、断面模式図の部分拡大図である。
【図２９】本発明を実施した実施例２の構造を示す、断面模式図である。
【図３０】本発明を実施した実施例３の構造を示す、断面模式図である。
【図３１】本発明を実施した実施例３の構造を示す、断面模式図の部分拡大図である。
【図３２】本発明を実施した実施例３の構造を示す、断面模式図である。
【図３３】本発明を実施した実施例４の構造を示す、断面模式図である。
【図３４】本発明を実施した実施例５の構造を示す、断面模式図である。
【図３５】本発明を実施した実施例５の構造を示す、断面模式図である。
【図３６】本発明を実施した実施例５の構造を示す、断面模式図である。
【図３７】本発明を実施した実施例６の構造を示す、断面模式図である。
【図３８】本発明を実施した実施例６の構造を示す、断面模式図である。
【図３９】本発明を実施した実施例６の構造を示す、断面模式図である。
【図４０】本発明を実施した実施例６の構造を示す、断面模式図である。
【図４１】本発明を実施した実施例６の構造を示す、断面模式図である。
【符号の説明】
【００５９】
駆動ローラー１、受動ローラー２、モーター３、駆動ローラー４、受動ローラー５、駆動ローラー６、受動ローラー７、ホルダー本体８、棚板部材９、フロントカバー１０、フロントカバー上方先端部１１、軸１２、乾電池１３、フロントカバー上方平面部１４、ロール状部材１５、内壁天井平面部１６、ロール状部材１７、バネ１８、指１９、矢印２０、矢印２１、回転止め部材２２、ロールペーパー２３、矢印２４、ペーパー先端部分２５、矢印２６、矢印２７、矢印２８、矢印２９、中間プーリー小３０、中間プーリー大３１、モーター３２、切断刃３３、Ｌ字状部材３４、軸３５、プッシュバー３６、鉄材３７、電磁石３８、矢印３９、矢印４０、矢印４１、バネ４２、バネ４３、バネ４４、駆動プーリー４５、駆動ベルト４６、伝道ベルト４７、ペーパー４８、矢印４９、矢印５０、フロントカバー５１、ロール状部材５２、面部材５３、バネ５４、棚板５５、乾電池５６、フロントカバー５７、植毛部を有する部材５８、植毛部を有する部材５９、長穴６０、支持部材６１、支持部材６２、矢印６３、ペーパー６４、矢印６５、矢印６６、矢印６７、大プーリー６８、支点６９、連結バー７０、軸７１、フロントカバー７２、矢印７３、ロールペーパー７４、矢印７５、本体底部７６、フロントカバー７７、軸７８、フロントカバー上方先端部７９、矢印８０、矢印８１、ロールペーパー８２、矢印８３、フロントカバー８４、矢印８５、矢印８６、本体８７、上レール８８、下レール８９、ピン９０とピン９１、矢印９２、矢印９３、矢印９４、ロールペーパー９５、矢印９６、矢印９７
【図１】
0004594228.tif 000002
【図２】
0004594228.tif 000003
【図３】
0004594228.tif 000004
【図４】
0004594228.tif 000005
【図５】
0004594228.tif 000006
【図６】
0004594228.tif 000007
【図７】
0004594228.tif 000008
【図８】
0004594228.tif 000009
【図９】
0004594228.tif 000010
【図１０】
0004594228.tif 000011
【図１１】
0004594228.tif 000012
【図１２】
0004594228.tif 000013
【図１３】
0004594228.tif 000014
【図１４】
0004594228.tif 000015
【図１５】
0004594228.tif 000016
【図１６】
0004594228.tif 000017
【図１７】
0004594228.tif 000018
【図１８】
0004594228.tif 000019
【図１９】
0004594228.tif 000020
【図２０】
0004594228.tif 000021
【図２１】
0004594228.tif 000022
【図２２】
0004594228.tif 000023
【図２３】
0004594228.tif 000024
【図２４】
0004594228.tif 000025
【図２５】
0004594228.tif 000026
【図２６】
0004594228.tif 000027
【図２７】
0004594228.tif 000028
【図２８】
0004594228.tif 000029
【図２９】
0004594228.tif 000030
【図３０】
0004594228.tif 000031
【図３１】
0004594228.tif 000032
【図３２】
0004594228.tif 000033
【図３３】
0004594228.tif 000034
【図３４】
0004594228.tif 000035
【図３５】
0004594228.tif 000036
【図３６】
0004594228.tif 000037
【図３７】
0004594228.tif 000038
【図３８】
0004594228.tif 000039
【図３９】
0004594228.tif 000040
【図４０】
0004594228.tif 000041
【図４１】
0004594228.tif 000042